(57)【要約】    【課題】実釣時において仕掛けの状態を瞬時に確認することができる釣竿の提供。    【解決手段】この釣竿１０は、釣竿本体１１の所定部にグリップ１２が形成されている。グリップ１２には、情報表示部ＤＰが設けられている。表示される情報は、仕掛けに使用されているハリスの号数である。情報表示部ＤＰは、グリップ本体２０を位置決めするための固定部材２１と、グリップ本体２０に設けられた指示部とにより構成される。指示部は、グリップ本体２０に表示された矢印により構成される。固定部材２１は、外筒２７を備えており、この外筒２７は、グリップ本体２０に対して回転する。外筒２７には、ハリスの号数を示す数字が記載されており、これが指示部によって指し示される。【選択図】図２
2005151817.tif 000002
【特許請求の範囲】
【請求項１】
釣竿本体に設けられたグリップに、実釣における情報を定量的に表示する情報表示装置が備えられている釣竿。
【請求項２】
上記情報表示装置は、
グリップに対して相対的に変位する変位部材と、
変位部材又はグリップのいずれか一方に表示された複数の文字又は記号と、
変位部材又はグリップのいずれか他方に設けられ、複数の文字又は記号の一を指示する指示部とを有する請求項１に記載の釣竿。
【請求項３】
上記変位部材は、グリップの端部に設けられ、釣竿本体の周面に沿って回転し得るリング部材からなる請求項２に記載の釣竿。
【発明の詳細な説明】
【技術分野】
【０００１】
本発明は、釣竿の構造、より詳細には、釣竿に設けられたグリップの構造に関するものである。
【背景技術】
【０００２】
例えば磯釣りにおいては、釣り場の状況に応じて仕掛けの態様が変更される。具体的には、釣り場における潮流、ターゲットとなる魚の活性、波、風等々に応じて、針、ハリス、ライン、錘等の号数、浮きの浮力等が調整され、特に、ハリスや針等は、頻繁に交換される場合もある。そのような場合に、釣人にとっては、当該仕掛けの態様を確認することができれば非常に便利である。そのため、従来においては、釣竿に装着される釣用リールに、ラインの号数を表示する機能が設けられている場合がある（例えば、非特許文献１参照）。
【０００３】
【非特許文献１】株式会社シマノ  2003-2004 ISO Fishing Tackle Catalogue（第５１〜５２頁）
【発明の開示】
【発明が解決しようとする課題】
【０００４】
ところで、ラインの号数は、実釣時において交換される頻度が最も低い要素の一つである。そのため、釣人としては、ラインの号数の他に頻繁に交換されることが多いハリスや針の号数を常に確認できる手段を要請するものである。
【０００５】
そこで、本発明の目的は、実釣時において仕掛けの状態を瞬時に確認することができる釣竿を提供することである。
【課題を解決するための手段】
【０００６】
(1) 上記目的が達成されるため、本発明に係る釣竿は、釣竿本体に設けられたグリップに、実釣における情報を定量的に表示する情報表示装置が備えられていることを特徴とするものである。
【０００７】
この構成によれば、情報表示装置によって実釣における様々な情報が表示される。この情報としては、例えば、ハリス、錘、針、ライン（道糸）の号数や浮きの浮力等の仕掛けの状態のほか、釣果（釣れた魚の尾数等）等も採用され得る。しかも、この情報表示装置は、釣人が当該釣竿を把持する部分であるグリップに設けられているから、釣人は、実釣において自己の手元に視線を移すだけて、所望時に且つ瞬時に上記情報を得ることができる。
【０００８】
(2) 上記情報表示装置は、グリップに対して相対的に変位する変位部材と、変位部材又はグリップのいずれか一方に表示された複数の文字又は記号と、変位部材又はグリップのいずれか他方に設けられ、複数の文字又は記号の一を指示する指示部とを備えて構成され得る。
【０００９】
この構成では、グリップに対して変位部材が相対変位するように設けられているから、変位部材が変位されることによって、上記情報を表す文字又は記号が指示部によって指し示される。これにより、釣人は、当該情報を正確に得ることができると共に、情報表示装置の構造がきわめて簡単になるという利点がある。
【００１０】
。
(3) 上記変位部材は、グリップの端部に設けられ、釣竿本体の周面に沿って回転し得るリング部材から構成され得る。
【００１１】
この構成では、釣人がリング部材を回転させることにより、必要な情報が表示される。したがって、例えば、ハリスや針の号数が変更されたときには、釣人は、簡単且つ迅速にこれらの情報を更新することができる。
【発明の効果】
【００１２】
以上のように本発明によれば、グリップに情報表示装置が設けられることにより、釣人は、実釣時において当該仕掛けの状態等を瞬時に正確に把握することができる。したがって、釣人は、実釣において当該仕掛けの状態を記憶しておく必要がなく、所望時にこれを確認することができ、その結果、仕掛けの交換をミスなく迅速に行うことができる。
【発明を実施するための最良の形態】
【００１３】
以下、適宜図面が参照されつつ、好ましい実施形態に基づいて本発明が詳細に説明される。
【００１４】
＜第１の実施形態＞
図１は、本発明の第１の実施形態に係る釣竿１０の正面図である。
この釣竿１０は、いわゆるインナーガイドタイプである。釣竿１０は、釣竿本体１１と、グリップ１２とを備えている。グリップ１２は、釣人が釣竿１０を保持する際に実際に釣竿１０を把持する部分であり、後述の要領により釣竿本体１１に装着されている。本実施形態では、グリップ１２は、リールシートを兼ねている。本実施形態に係る釣竿１０の特徴とするところは、グリップ１２の構造にある。具体的には、グリップ１２が情報表示部ＤＰを備えており、この情報表示部ＤＰによって、釣人が実釣時において当該仕掛けに使用されているハリスの号数を確認することができるようになっている。これにより、釣人は、実釣時にハリスを頻繁に交換する場合であっても、従前のハリスの号数を記憶しておく必要がなく、ハリスの適切な号数への交換を迅速に行うことができる。以下、釣竿１０の構造について詳述される。
【００１５】
釣竿本体１１は、５つの筒状部材１３〜１７から構成されている。各筒状部材１３〜１７は、それぞれ「節」と称され、釣竿本体１１の先端側から順に第１番節１３、第２番節１４と称される。第４番節１６は、特に「元上節」と称され、第５番節１７は、特に「元節」と称される。各節１３〜１７は、既知の要領で構成される。例えば、炭素繊維強化樹脂（カーボンプリプレグ）が所定形状に裁断され、これがマンドレルに巻回されて筒状に焼成されることによって、円筒状の節１３〜１７が形成される。なお、この釣竿１０では、第４番節１６（すなわち元上節１６）が第５番節１７（すなわち元節１７）に対して伸縮するズーム機構が搭載されている。もっともこのズーム機構は任意的なものであって、当該機構は省略される場合もある。
【００１６】
第１番節１３は第２番節１４の内部に引き出し自在に収容されている。また、第１番節１３の先端には、釣糸が導き出されるトップガイド１８が設けられている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３を第２番節１４から引き出した際に、第１番節１３の後端部分が第２番節１４の先端部分とかみ合って両者が固定されるようになっている。なお、第２番節１４と第３番節１５との関係及び第３番節１５と元上節１６との関係も同様である。また、元節１７の後端には、尻栓３５が装着されている。
【００１７】
また、第２番節１４ないし元節１７の先端部には、当該部分の剛性を向上させ、隣り合う節のかみ合いを確実なものとするために、リングＲ１〜Ｒ４が装着されている。さらに、元上節１６の先端側の所定位置には図示しない釣糸導入孔が設けられており、この釣糸導入孔に釣糸を導くための導入ガイド１９が取り付けられている。なお、上記トップガイド１８及び導入ガイド１９は、既知の構成であるので、その詳しい説明は省略される。
【００１８】
図２は、釣竿１０の要部拡大分解正面図であり、グリップ１２の構造を詳細に示している。
グリップ１２は、全体として筒状に形成されており、元節１７を囲繞するように当該元節１７に嵌め込まれている。グリップ１２は、グリップ本体２０と、固定部材２１、２２とを備えている。これら固定部材２１、２２は、グリップ本体２０を元節１７に対して位置決め固定する。これにより、グリップ１２は、元節１７の後方の所定位置に配置されている（図１参照）。
【００１９】
グリップ本体２１は、円筒状に形成されており、例えばポリブチレンテレフタレート（ＰＢＴ）やナイロン等の樹脂のほか金属等により構成されている。前述のようにグリップ１２はリールシートを兼ねている。このリールシートは、釣用リール（図示せず）を着脱自在に保持するためのものであって、リール載置部２３と、固定フード部２４と、可動フード２５とを備えている。リール載置部２３及び固定フード部２４は、グリップ本体２１と共に一体的に形成されており、可動フード２５は、リール載置部２３に沿ってスライドし、固定フード部２３に対して近接し、離反するようになっている。そして、釣用リールの脚部が固定フード部２３と可動フード２５との間に挟み込まれることによって、当該釣用リールは、リールシートに固定される。
【００２０】
図３は、図２における要部拡大分解斜視図であり、上記グリップ１２の先端部分の構造を示している。
情報表示部ＤＰは、上記固定部材２１と、上記グリップ本体２０に設けられた指示部２８とにより構成されている。すなわち、本実施形態では、グリップ本体２０を元節１７に位置決め固定する部材としての固定部材２１が情報表示部ＤＰを構成する部材を兼ねている。
【００２１】
固定部材２１は、例えばアルミニウム合金等の金属から構成されている。図２及び図３が示すように、固定部材２１は、円筒状の基部２６と、基部２６に嵌め込まれた外筒２７（変位部材）とを有する。基部２６は、筒状の小径部２９とこれに連続する笠状のフランジ部３０とを備えており、両者は一体的に形成されている。元節１７は、グリップ本体２０及びこの固定部材２１を貫通している。
【００２２】
小径部２９の内径寸法は、元節１７の外径寸法に対応されており、元節１７が小径部２９の内部に隙間なく挿通されている。また、小径部２９外径寸法は、上記グリップ本体２０の内径寸法に対応されており、小径部２９は、グリップ本体２０の端部に隙間なく嵌め込まれている。さらに、フランジ部３０は、テーパ状に形成されており、その最大外径寸法は、グリップ本体２１の端面の外径寸法と略一致されている。したがって、グリップ本体２０と元節１７との境界部分は、大きな段差が形成されることなく、上記フランジ部３０によって滑らかに連続されている。
【００２３】
外筒２７は、リング状に形成され、上記小径部２９に対して軸方向まわりに回転可能に設けられている。外筒２７の周面には、図３が示すように、ハリスの号数を表す数字（実釣における情報）が印字されている。本実施形態では、外筒２７には、１．２、１．５、１．７、２．０、２．５、３．０の数字が印字されている。そして、外筒２７が小径部２９に嵌め込まれた状態で当該小径部２９がグリップ本体２０に嵌め込まれと、外筒２７は、上記フランジ部３０とグリップ本体２０との間に挟み込まれた状態で配置される。もっとも、このとき外筒２７は、なお小径部２９に対して回転可能である。
【００２４】
また、上記指示部２８は、本実施形態では、グリップ本体２０の端部の上面に表示された矢印により構成されている。この矢印は、グリップ本体２０への印刷や刻印等により表示される。この指示部２８は、上記外筒２７に表示された数字を指し示す。すなわち、図３では、「１．２」という数字を指し示しており、実釣における当該仕掛けのハリスの号数が１．２であることを示している。そして、外筒２７は回転可能に設けられているから、釣人が外筒２７を回転させることにより、指示部２８は、「１．５」や「１．７」の数字を指し示すことができる。
【００２５】
本実施形態では、支持部２８はグリップ本体２０に印字された矢印により構成されているが、これに限定されるものではなく、指示部２８は、例えば矢印形状等に形成された部材により構成され、これがグリップ本体２０に接着固定されていてもよい。要するに、指示部２８は、グリップ本体２０に表示された数字を指し示すことができるものであればよい。
【００２６】
また、図２が示すように、固定部材２２は、小径部３１とフランジ部３２とを有する。小径部３１及びフランジ部３２は、上記基部２１の小径部２９及びフランジ部３０と同様の構成であるので、その説明は省略される。元節１７は、上記グリップ本体２０及び固定部材２１を貫通すると共に、この固定部材２２をも貫通している（図２参照）。
【００２７】
各固定部材２１、２２は、元節１７の所定位置に固定される。固定部材２１、２２の固定手段は、例えば接着剤等が採用され得る。グリップ本体２０は、これら固定部材２１、２２の間に挟み込まれるようにして配置される。各固定部材２１、２２の小径部２９、３１は、グリップ本体２０の両端部に嵌め込まれ、接着剤等により固定される。これにより、元節１７の所定位置にグリップ１２が位置決め固定される。
【００２８】
このように本実施形態に係る釣竿１０では、情報表示部ＤＰが設けられているから、釣人は、実釣時に自己がそのときに使用しているハリスの号数を表示しておくことができ、また、それを常時確認することができる。しかも、この情報表示部ＤＰは、釣竿１０のグリップ１２に設けられているから、釣人は、実釣において自己の手元に視線を移すだけて、瞬時に当該ハリスの号数を確認することができる。したがって、釣人は、ハリスを頻繁に交換する必要がある状況においても、ハリスの号数を記憶しておく必要がなく、ハリスの適切な交換を迅速且つ正確に行うことができる。
【００２９】
本実施形態では、情報表示部ＤＰにより表示される情報はハリスの号数であるが、表示される情報がこれに限定されるものではない。例えば、ハリスに装着される錘、針、ライン（道糸）の号数が採用されることもできるし、仕掛けに使用される浮きの浮力が採用されてもよい。また、釣果（釣れた魚の尾数等）等も採用され得る。ただし、これらの情報が表示される場合には、各情報に応じて、表示される数字が変更され、あるいは、数字に代えて記号や他の文字等が採用されてもよい。要するに、情報表示部ＤＰは、実釣における様々な情報を定量的に表す文字又は記号を正確に指し示すように構成されていればよい。
【００３０】
また、本実施形態では、上記外筒２７は、小径部２９の回りに回転されるように構成されているが、両者間に所定の摩擦力が生じるように構成されるのが好ましい。具体的手段としては、小径部２９の外径寸法と外筒２７の内径寸法とが一定のはめあい精度で嵌合され、あるいは、両者が互いに接触する面が粗面に形成される等の種々の手段が採用され得る。加えて、リング状の外筒２７が径方向に二分割可能に構成されているのが好ましい。この場合において、釣人が表示しようとする情報の種類に対応して外筒が予め複数用意されていれば（すなわち、錘の号数を示す文字、浮きの浮力を示す記号等がそれぞれ表示された外筒が別々に用意されていれば）、釣人は、外筒２７を交換することによって、実釣における所望の情報を表示させることができる。
【００３１】
さらに、本実施形態では、情報表示部ＤＰは、グリップ本体２０に対して相対的に回転する外筒２７と、グリップ本体２０に設けられた指示部２８とにより構成されているから、情報表示部ＤＰの構造がきわめて簡単になり、その結果、釣竿１０の製造コストが大幅に上昇することがないという利点がある。また、本実施形態では、外筒２７に数字が表示され、グリップ本体２０に指示部２８を構成する矢印が表示されているが、外筒２７に矢印、グリップ本体２０に数字が表示されていてもよいことは勿論である。
【００３２】
＜第２の実施形態＞
次に、本発明の第２の実施形態について説明される。
図４は、本発明の第２の実施形態に係る釣竿４０の要部拡大正面図であり、グリップ１２の構造を詳細に示している。
【００３３】
本実施形態に係る釣竿４０が上記第１の実施形態に係る釣竿１０と異なるところは、情報表示部ＤＰの構造であって、第１の実施形態に係る釣竿１０では、グリップ本体２０を位置決め固定する固定部材２１（具体的には、固定部材２１に設けられた外筒２７）が回転する構造であるのに対し、本実施形態に係る釣竿４０では、グリップ本体１２に設けられたリング４１（変位部材）がグリップ本体２０に対して相対的に回転する構造となっている点、このリング４１の周面にハリスの号数を示す数字が並んで表示されている点、及び同図では図示されていないが、この数字を指し示す指示部が固定フード２４の上面に表示されている点である。なお、この指示部は、上記第１の実施形態と同様に、矢印が固定フード２４に印字されることによって構成されている。
【００３４】
本実施形態では、リング４１は、金属のほか樹脂等により構成されている。グリップ本体２０の端部の外周面には、周溝４２が設けられており、この周溝４２にリング４１が嵌め込まれている。リング４１は、周溝４２の溝方向に沿ってスライド可能となっており、これにより、釣人は、リング４１を手で摘んで回転させることができる。周溝４２とリング４１との間には、所定の摩擦力が生じるように設定されており、釣人が意図的にリング４１を回転させない限り、自由に回転しないようになっている。この摩擦力を得る手段としては、上記第１の実施形態で開示された手段が採用され得る。
【００３５】
本実施形態に係る釣竿４０においても、情報表示部ＤＰが設けられており、実釣時における当該仕掛けのハリスの号数を表示することができるから、釣人は、自己がそのときに使用しているハリスの号数を常時確認することができ、ハリスの号数を記憶しておかなくてもハリスを迅速且つ正確に交換することができる。なお、本実施形態においても、情報表示部ＤＰにより表示される情報はハリスの号数のほかに、例えば、ハリスに装着される錘、針、ライン（道糸）の号数や浮きの浮力が採用され得ることは、勿論である。
【００３６】
また、本実施形態において、上記指示部は、固定フード２４に表示されるほかに、グリップ本体２０の周面の所望の位置に表示されていてもよい。さらに、グリップ本体２０の周面に上記数字が表示され、リング４１に指示部が設けられていてもよいことは勿論である。
【００３７】
＜第３の実施形態＞
次に、本発明の第３の実施形態について説明される。
図５は、本発明の第３の実施形態に係る釣竿５０の要部拡大正面図であり、グリップ１２の構造を詳細に示している。
【００３８】
本実施形態に係る釣竿５０が上記第１の実施形態に係る釣竿１０と異なるところは、情報表示部ＤＰの構造であって、第１の実施形態に係る釣竿１０では、グリップ本体２０を位置決め固定する固定部材２１（具体的には、固定部材２１に設けられた外筒２７）が回転する構造であるのに対し、本実施形態に係る釣竿５０では、グリップ本体１２の側面に設けられた指示プレート５１（変位部材）がグリップ本体２０に対して相対的に長手方向にスライドする構造となっている点、グリップ本体２０の側面に釣果（釣れた魚の尾数）を示す数字が並んで表示されている点、及びこの数字を指し示す指示部５２が上記指示プレート５１に表示されている点である。
【００３９】
図６は、図５におけるVI−VI断面図であり、上記情報表示部ＤＰの構造を示している。
グリップ本体２０は、元節１７を取り囲むように配置されている。グリップ本体２０の側面５３には、長手方向に沿ってスライド溝５４が設けられている。スライド溝５４の底面には、所定間隔で突起５５が並設されている。また、スライド溝５４の上面及び下面にには、当該スライド溝５４に沿って係合溝が設けられている。
【００４０】
指示プレート５１は、矩形の板状に形成され、例えば金属のほか樹脂等により構成されている。指示プレート５１の裏面には、凹部が設けられており、この凹部に上記突起５５が係合するようになっている。また、指示プレート５１の上面及び下面には、係合爪５６が突設されており、これらは、それぞれスライド溝５４に設けられた上記係合溝と係合するようになっている。さらに、指示部５２は、指示プレート５１の表面に刻成された微小溝により構成されている。この指示部５２は、単に直線が指示プレート５１に印刷されることによっても構成されるし、上記第１の実施形態と同様に矢印が印字されることにより構成されていてもよい。
【００４１】
指示プレート５１は、スライド溝５４に嵌め込まれる。これにより、指示部５２は、グリップ本体５１に表示された数字を指し示めす。このとき、上記係合爪５６がスライド溝５４の上記係合溝と係合することによって、指示プレート５１は、スライド溝５４に案内されるようにして滑らかにスライドすることができる。これにより、指示部５２は、グリップ本体５１に表示された他の数字を指し示すことができる。
【００４２】
ここで、スライド溝５４に形成された突起５５は指示プレート５１の凹部に嵌め込まれることによって、当該位置に仮止めされる。さらに、指示プレート５１がスライド溝５４に対してスライドされるときは、突起５５と上記凹部との嵌合は一旦解除されるが、当該凹部は、隣り合う突起５５と再び嵌合する。したがって、指示プレート５１は、釣人が意図的にスライドさせない限り、自由にスライドすることがなく、正確な情報が常に表示される。
【００４３】
このように本実施形態では、情報表示部ＤＰが設けられており、実釣における釣果を表示することができるから、例えば、釣人は、競技会等においていわゆる判定基準を満たすサイズの魚を何尾釣ったかを記憶することなく、情報表示部ＤＰに表示させておくことができる。もっとも、グリップ本体２０に表示される情報は、釣果に代えて上記各実施形態と同様に、ハリスや錘の号数等が採用され得ることは勿論である。
【００４４】
また、本実施形態において、指示プレート５１の係合爪５６と、スライド溝５４に設けられた係合溝とが所定のはめあい精度で嵌合するように構成されていれば、両者間に所定の摩擦力が生じる。したがって、上記突起５５およびこれと嵌合する凹部が省略されても、指示プレート５１が不用意にスライドすることがなく、正確な情報が常に表示される。
【産業上の利用可能性】
【００４５】
本発明は、釣竿に適用され得る。
【図面の簡単な説明】
【００４６】
【図１】図１は、本発明の第１の実施形態に係る釣竿の正面図である。
【図２】図２は、本発明の第１の実施形態に係る釣竿の要部拡大分解正面図である。
【図３】図３は、本発明の第１の実施形態に係る釣竿の要部拡大分解斜視図である。
【図４】図４は、本発明の第２の実施形態に係る釣竿の要部拡大正面図である。
【図５】図５は、本発明の第３の実施形態に係る釣竿の要部拡大正面図である。
【図６】図６は、図５におけるVI−VI断面図である。
【符号の説明】
【００４７】
ＤＰ・・・情報表示部
１０・・・釣竿
１１・・・釣竿本体
１２・・・グリップ
２０・・・グリップ本体
２１・・・固定部材
２２・・・固定部材
２６・・・基部
２７・・・外筒
２８・・・指示部
２９・・・小径部
４０・・・釣竿
４１・・・リング
４２・・・周溝
５０・・・釣竿
５１・・・指示プレート
５２・・・指示部
５３・・・側面
５４・・・スライド溝
５５・・・突起
５６・・・係合爪
【図１】
2005151817.tif 000003
【図２】
2005151817.tif 000004
【図３】
2005151817.tif 000005
【図４】
2005151817.tif 000006
【図５】
2005151817.tif 000007
【図６】
2005151817.tif 000008